(57)【要約】【課題】噴水のパターンを変えることが簡単にでき、噴水の駆動や照明手段の冷却を効率良く自然空冷或いは強制空冷ができてる噴水装置を提供すること。【解決手段】導水管上端にベースを取り付け、このベースに羽車を駆動させるモータを取り付け、導水管内にモータで回転される回転軸を立設し、下端であって導水管の下端部位に羽車を取り付け、汲み上げられた水を、上記ベース下方部位に取り付けた上下の円盤状ノズルよりドーム状に散水させ、ノズルの間に複数枚の留板や、一方向へ放水する放水口を設けた放水案内板を取り外し自在とし、ベースの全面に放射状に多数の円弧状スリットを設け、カバーの側面部に空気排出口を設け、ベースの全面に放射状に多数の円弧状スリット或いは全周に多数の空気取入れ口を設けたり、回転軸に冷却ファンを取り付けた。【選択図】図９
0003119314.tif 000002
【実用新案登録請求の範囲】
【請求項１】
導水管を立設し、この導水管上端にベースを取り付け、このベースに回転羽車を駆動させるモータを取り付け、この導水管内にモータで回転される軸を立設し、この軸の下端が支持されると共に導水管の下端部位に回転羽車を取り付け、この羽車により汲み上げられた水を、この導水管と連通すると共に上記ベース下方部位の導水管に取り付けた上ノズルと下ノズルとの間よりドーム状に散水させたことを特徴とする噴射装置。
【請求項２】
上記上下ノズルを、多角形或いは円形若しくは花模様やハート等の所望形とし、この上下ノズルを半透明や透明な合成樹脂製或いはガラス又は陶器製とし、この上下ノズルに所望の色の光線を当てたことを特徴とする請求項１に記載の噴射装置。
【請求項３】
上記上下ノズルを、円盤で一体の紡錘型の垂直断面が傘状の曲面の上ノズルとし、この円盤で傘状の曲面の上ノズルより小さい直径の円盤で平板状の下ノズルとし、この上下の間隔を上下ノズルの一方に設けた支柱の高さで調整自在としたことを特徴とする請求項１に記載の噴射装置。
【請求項４】
上記下の円盤のノズルの放水口を囲繞すると共に下の円盤のノズルに重合し、一方向へ放水する放水口を設けた断面Ｌ字で弧状の放水案内板を、下の円盤で平板状の下ノズル下面や導水管側面に取り外し自在としたことを特徴とする請求項３に記載の噴射装置。
【請求項５】
上記上下ノズルの一方に設けた支柱間に所望枚の取り外し自在の留板を取り付け所望方向へ放水したことを特徴とする請求項１乃至請求項３のいずれか１項に記載の噴射装置。
【請求項６】
上記ベースの全面に放射状に多数の円弧状スリット或いは所望位置の少なくとも一列の全周に多数の空気取入れ口を設け、ベース上方の上記モータと光源とを覆う円筒状のシェードと該シェードを覆うカバーを取り付け、このカバーを側面部と蓋部とで構成し、かつカバーの側面部に所望形の空気排出口を設けたことを特徴とする請求項１乃至請求項５のいずれか１項に記載の噴射装置。
【請求項７】
上記モータで回転される軸を上方に突設し、この軸に冷却ファンを取り付けたことを特徴とする請求項１乃至請求項６のいずれか１項に記載の噴射装置。
【請求項８】
上記カバーの側面部上端に下向きの切欠きが設けられた補強リブを形成し、このカバー内にカバーの直径と高さがやや小さい透明又は半透明或るい所望な色の円筒、多角筒のシェードをベース上に取り付け、このシェード上端を補強リブの切欠きに嵌合したことを特徴とする請求項１乃至請求項７のいずれかに１項に記載の噴射装置。
【考案の詳細な説明】
【技術分野】
【０００１】  本考案は噴水装置、さらに詳しくは噴水のパターンを変えることが簡単にでき、噴水の駆動や照明手段の冷却を効率良く自然空冷或いは強制空冷ができてる噴水装置に関する。
【背景技術】
【０００２】  最近、池や水槽に噴水装置を取り付け水流を起こし水の浄化をしたり、濾過手段に格段の工夫をこらして水の交換をすくなくしたりと多種多様なものが市販されている。例えば文献１の特開平８−１１７６６１号１の号公報のように、出口の噴射口に至る通路の流路断面積を同じか又は漸次減少させて液体を薄膜状に噴射させるものや、特許文献６の特開２００３−４７８９１号公報のように、外方に広がる曲面形状の上部内壁を有する導管と、この導管の上部に配置される円板状の平板蓋とからなるカップリングで構成されたノズルてメロン形状の球体薄膜の噴射体があるが、ノズルに水草等のごみが詰まるものである。また、文献２の特開平８−２７３４０７号１の号公報のように、発光部が水で冷却されるものであり、そのメンテナンス等が面倒である。さらに、文献３の特開平９−７５８０８号公報のように、導水管の噴水口の端縁部から側方に延出する水誘導板と、噴水口の上方に水誘導板の表面から所定間隔をおいて設置されかつ水誘導板より径小の邪魔板と、この水誘導板の周縁部に立設された水流変更板とを有し、この水誘導板上を誘導された水流が水流変更板の上端縁部から空中に噴出させるものであるが、本考案のように噴水のパターンを変えることが簡単にでき、噴水の駆動や照明手段の冷却を効率良く自然空冷或いは強制空冷ができてる噴水装置ではない。さらには、特許文献４の特開２０００−２８８４４５号公報のものも、薄いリング状の水流を噴出する水流噴出部と、この水流噴出部へ所定の圧力をかけながら水を供給する給水部と、水流噴出部からの水を給水部へ循環させるための循環部からなるもので、上述のような本考案のように噴水のパターンを変えることが簡単にできものではないし、このものはろか装置や別のポンプが必要である。またさらに、特許文献５の特開２００１−７４号公報のように、水槽内に立設された揚水管と、この揚水管上端に固定円盤と、その上方に回転円盤とからなり水をらせん状の流路を通って固定円盤中心部から周縁部に向かって流れ、周縁から薄膜状に撒水させる撒水装置と、この水槽の上部に透明なフィルムからなる円錐台形の傘を設けたもので、本考案とは課題も構成もことなり、撒水装置の構造も複雑である。【０００３】  本願の考案者は、種々な噴水装置を市場に提供してきたが、簡単に噴水のパターンを変えることができ、この噴出した水が回りの空気を冷却させることを利用し、噴水の駆動や照明手段の冷却を効率良く自然空冷或いは強制空冷ができてる噴水装置を提供できることを知見し得たものである。
【特許文献１】特開平８−１１７６６１号公報
【特許文献２】特開平８−２７３４０７号公報
【特許文献３】特開平９−７５８０８号公報
【特許文献４】特開２０００−２８８４４５号公報
【特許文献５】特開２００１−７４号公報
【特許文献６】特開２００３−４７８９１号公報
【考案の開示】
【考案が解決しようとする課題】
【０００４】  考案が解決しようとする問題点は、第１に、水を汲み上げる羽車の動力のモータを上部に設置して、ノズルから放水されて冷却された空気を自然に利用すると共に、コンパクトな噴射装置を提供すること。第２に、第１の課題に加えて、上下ノズルを所望な形状や型にすることで、噴水の形や花模様等の形にでき、さらに上下ノズルを半透明や透明にし光線を当てることで、魅惑的な雰囲気をかもしだてること。第３に、第１の課題に加えて、ドーム状の放水にしたり、上下ノズルの一方に設けた支柱の高さで放水の型を調整自在としたり、水洩れの心配がなく、かつ組み立てが簡単に、確実にすること。第４に、第３の課題に加えて、放水案内板をノズルの放水口を囲繞させて所望方向、所望水量を放水すること。第５に、第１乃至第３のいずれかの課題に加えて、支柱間に所望枚の取り外し自在の留板を取り付け所望方向へ放水すること。第６に、第１乃至第５のいずれかの課題に加えて、ベースに放射状の円弧状スリット或いは少なくとも一列の全周に多数の空気取入れ口を設けることで、ベース上に設置されたモータや光源をより一層効率よく冷却させること。第７に、第１乃至第６のいずれかの課題に加えて、冷却ファンを取り付けたことにより空気の流れを強制的により一層効率よく冷却させること。第８に、第１乃至第７のいずれかの課題に加えて、透明又は半透明或るい所望な色の円筒、多角筒のシェードとすることで、観賞者により一層涼しさと美しさを与えると共に、シェードとカバーがずれたり、外れたり、がたついたりすることをないように両者が保持されること。
【課題を解決するための手段】
【０００５】  本考案は、第１に、導水管を立設し、この導水管上端にベースを取り付け、このベースに回転羽車を駆動させるモータを取り付け、この導水管内にモータで回転される軸を立設し、この軸の下端が支持されると共に導水管の下端部位に回転羽車を取り付け、この羽車により汲み上げられた水を、この導水管と連通すると共に上記ベース下方部位の導水管に取り付けた上ノズルと下ノズルとの間よりドーム状に散水させたことを特徴とする噴射装置である。第２に、上記上下ノズルを、多角形或いは円形若しくは花模様やハート等の所望形とし、この上下ノズルを半透明や透明な合成樹脂製或いはガラス又は陶器製とし、この上下ノズルに所望の色の光線を当てたことを特徴とする請求項１に記載の噴射装置である。第３に、上記上下ノズルを、円盤で一体の紡錘型の垂直断面が傘状の曲面の上ノズルとし、この上ノズルの上部中央に連結用のパイプを付設し、この円盤で傘状の曲面の上ノズルより小さい直径の円盤で平板状の下ノズルとし、この上下の間隔を上下ノズルの一方に設けた支柱の高さで調整自在としたことを特徴とする請求項１に記載の噴射装置である。第４に、上記下の円盤のノズルの放水口を囲繞すると共に下の円盤のノズルに重合し、一方向へ放水する放水口を設けた断面Ｌ字で弧状の放水案内板を、下の円盤で平板状の下ノズル下面や導水管側面に取り外し自在としたことを特徴とする請求項３に記載の噴射装置である。第５に、上記上下ノズルの一方に設けた支柱間に所望枚の取り外し自在の留板を取り付け所望方向へ放水したことを特徴とする請求項１乃至請求項３のいずれか１項に記載の噴射装置である。第６に、上記ベースの全面に放射状に多数の円弧状スリット或いは所望位置の少なくとも一列の全周に多数の空気取入れ口を設け、ベース上方の上記モータと光源とを覆う円筒状のシェードと該シェードを覆うカバーとを取り付け、このカバーを側面部と蓋部とで構成し、かつカバーの側面部に所望形の空気排出口を設けたことを特徴とする請求項１乃至請求項５のいずれか１項に記載の噴射装置である。第７に、上記モータで回転される軸を上方に突設し、この軸に冷却ファンを取り付けたことを特徴とする請求項１乃至請求項６のいずれか１項に記載の噴射装置である。第８に、上記カバーの側面部上端に下向きの切欠きが設けられた補強リブを形成し、このカバー内にカバーの直径と高さがやや小さい透明又は半透明或るい所望な色の円筒、多角筒のシェードをベース上に取り付け、このシェード上端を補強リブの切欠きに嵌合したことを特徴とする請求項１乃至請求項７のいずれかに１項に記載の噴射装置である。
【考案の効果】
【０００６】  本考案の噴射装置は、第１に、水を汲み上げる羽車の動力のモータを上部に設置して、ノズルから放水されて冷却された空気を自然に利用すると共に、観賞者に涼しさを与えると共に美観も与え、かつコンパクトな噴射装置である。第２に、第１の効果に加えて、上下ノズルを所望な形状や形にすることで、噴水の形や花模様等の形にでき、さらに上下ノズルを半透明や透明にし光線を当てることで、魅惑的な雰囲気をかもしだてることができる。第３に、第１の効果に加えて、ドーム状の放水にしたり、上下ノズルの一方に設けた支柱の高さで放水の形を調整自在であり、また円盤で一体の紡錘型の垂直断面が傘状の曲面の上ノズルとし、この上ノズルの上部中央に連結用のパイプを付設したので水洩れの心配がなく、かつ組み立てが簡単に、確実にできる。第４に、第３の課題に加えて、放水案内板をノズルの放水口を囲繞させて所望方向、所望水量を放水できた。第５に、第１乃至第３のいずれかの課題に加えて、支柱間に所望枚の取り外し自在の留板を取り付け所望方向へ放水できた。第６に、第１乃至第５のいずれかの効果に加えて、ベースに放射状の円弧状スリット或いは少なくとも一列の全周に多数の空気取入れ口を設けることで、ベース上に設置されたモータや光源をより一層効率よく冷却させることができた。第７に、第１乃至第６のいずれかの効果に加えて、冷却ファンを取り付けたことにより空気の流れを強制的により一層効率よく冷却させることができた。第８に、第１乃至第７のいずれかの効果に加えて、透明又は半透明或るい所望な色の円筒、多角筒のシェードとすることで、観賞者により一層涼しさと美しさを与えることで商品価値を上げることができると共に、シェードとカバーがずれたり、外れたり、がたついたりすることをないように両者が保持される。
【考案を実施するための最良の形態】
【０００７】  以下、考案の実施の形態について、図１乃至図１１に基づいて説明する。図１１に示すように、導水管１の下端に、中央に軸２を挿入させる合成樹脂のポリプロピレン等で輪から三方へ枝軸が付設され先端にはばね作用をする弧状板が付設されている軸受３を挿着して軸下端を支持し、さらに導水管１の上端には水を止める作用をさせる栓状の軸受４てもよいし、或いは軸受３のように中央に軸２を挿入させる輪から三方へ枝軸が付設され先端にはばね作用をする弧状板が付設されている軸受を挿着する。このように導水管１の上端には水を止める作用をさせる栓状の軸受４とした場合は、図示していないが、上下のノズルを環状のノズルとして栓状の軸受４の導水管１下方に所望間隔をおいて溶接等で取り付け、この導水管１の所望間隔に通水孔を穿設してもよい。この下端の軸受３の上方には揚水用の二枚羽乃至五枚羽等の回転羽車５を軸２に取り付けてある。そして、この導水管１の上方に図６乃至図８に詳述する上下のノズルが取り付かれている。まず上ノズルは図６（Ａ）乃至（Ｃ）に示すように、合成樹脂製、金属製の円盤で一体の紡錘型の垂直断面が傘状の曲面の上ノズル６の上部中央に連結用のパイプ７を付設し、この連結用のパイプ７の一側面に電気コードを添挿させる半円状の凹部８と後述のベースを止めるねじ孔９とが設けてある。また、他の実施例として、上下ノズルを、多角形（三角形を含む、以下単に多角形という）或いは円形若しくは花模様やハート等の所望形とし、この上下ノズルを半透明や透明な合成樹脂製或いはガラス又は陶器製とし、この上下ノズルに所望の色の光線を当てるとよい。光線の当て方として、図示していないが、例えは所望色の発光ダイオードや所望色の蛍光灯等を上ノズル６の上部中央の連結用のパイプ７に付設したり、上下ノズル自体を所望色の発光ダイオード等を埋め込んでもよい。さらに、上述の多角形或いは円形若しくは花模様やハート等の所望形や傘状６の下部の所望位置に所望数、好ましくは三本のねじ溝又はボルト挿通孔１０が刻設又は穿設されている支柱１１が設けられている。そして、図７に示すように合成樹脂製、金属製の円盤の平板状の下ノズル１２であって、上記上ノズルに設けられた三本のねじ溝又はボルト挿通孔１０が刻設又は穿設されている支柱１１に対応した位置に、ねじ又はボルト１３を挿通させる孔１３ａが穿設し、図８に示すように該支柱１１の高さの寸法で上下ノズルがねじ又はボルト・ナット１３で組み立てる。この平板状の下ノズル１２の下面の中央部に上記導水管１を挿入させる連結用のバイプ１４を設けてあり、このバイプ１４の一側面に電気コードを添挿させる半円状の凹部１５が設けてあり、さらに下ノズル１２の下面の中央部に導水管１からの水を通す中央連通孔１６が穿設されている。上述の下ノズル１２と上ノズル６とに設けた半円状の凹部８とバイプ１４の一側面の半円状の凹部１５とにより、図９に示す一点鎖線のように電気コードをビニール等の合成樹脂で被服したり、または、下ノズル１２と上ノズル６との間にはビニールパイプ等で連通させ、かつ水が洩れないように被服または連通された電気コードに挿通させた図示していないパッキングを上下ノズルに嵌め込み電気コードが水流���直接接触しないようにしてある。また、上記この傘状６の下部の所望位置に所望数に設けられた支柱１１を図１０に示すように下ノズル１２の上面の所望位置に所望数設けてもよい。そして、上述の回転羽車５により揚水され水は導水管１から下ノズル中央連通孔１６より、上ノズルの下面の傘状の曲面に当たり、ドーム状の水幕が上下ノズルの間から放水され、水が蒸発しその気化熱で周りの空気が冷やされるし、観賞者に涼しさを与える。【０００８】  また、上記上下ノズルの間から放水されるドーム状の水幕に変化を与えるために、図１０に示すように、上下ノズル６、１２の組み立て用の上ノズル６又は下ノズル１２に付設された各支柱１１の側面に凹溝１７を設けたり、又は下ノズルの上面の各支柱間に凹溝を設けてもよい、この各凹溝１７に嵌め込んで水を止めるための合成樹脂製、金属製或いはゴム製の弧状の留板１８を別に設け、この数や位置で水の放水方向や放水量を変えることができる。この変え方として、さらに図１１に示すように、下ノズル１２を覆い上ノズル６の下面に周接するような一方に放水口２３が設けられ、上下ノズル６、１２の間から放水される水を止め、放水口２３に案内する合成樹脂製、金属製或いはゴム製の断面Ｌ字で弧状の放水案内板１９を別に設け、この放水案内板１９の側面や断面Ｌ字の先端に付設した舌片２０、２１と、導水管１の側面や上ノズルの下面に付設した舌片２２とのねじ孔にねじ２３で放水案内板１９を上下ノズル６、１２を覆うことで所望方向へ所望水量の放水ができる。このように種々な放水の形や方向が簡単な補助具でできる、その水の動的視覚効果を顕著に上げると共に所望方向へ所望水量の放水ができる。【０００９】  さらに、図４乃至図５（Ａ）〜（Ｄ）に示すように、上述の傘状の曲面の上ノズル６の上部中央に連結用のパイプ７が付設されており、この連結用のパイプ７の外径に嵌め込むパイプ２４が下向きに突設され、このパイプ２４の上端に円盤状のベース２５が合成樹脂製等で一体に成型され、また、このパイプ２４の一側面に電気コードを添挿させる上方が大径となる円錐状の凹部２６を付設すると共にベース２５との合体部位に電気コードを挿入孔２７が穿設されている。なお、上述の上ノズル６の上部中央に連結用のパイプ７に図８に示すように、パイプ７の上端にフランジ４９を付設するとともに、上述の連結用のパイプ７の下端にも図示していないがパイプ７のフランジ４９と同径のフランジを形成して、これらのフランジに連通する複数の孔５０にボルト・ナットを挿通させてベース２５と上ノズルとを連結させてもよい。なお、連結用のパイプ７の外径にベース２５のパイプ２４を嵌め込み、図示していないパイプ２４の横孔と上ノズルの連結用のパイプ７に設けた止めるねじ孔９とにより両パイプ２４、７とを抜けないようにねじ止めされる。さらに、図４に示すように、ベース２５の所望位置、好ましくは後述の設置されるモータの外周を取り囲むような位置であって、この円盤状のベース２５の外寄の全周に亘って所望間隔に所望外径の少なくとも１列の多数の通気孔２８〜２８が穿設されている。さらに、図５に示すように、ベース２５の全面に上記通気孔２８と同じ働きをする中心から放射状に設けた等間隔の三本の台枠３４の間に中心から二列の円弧状の多数の円弧状スリット２９をベース全面に穿設されている。さらに、この円盤状のベース２５の外端の全周に二段の受部３０、３１が付設された周壁３２がベース２５と一体に成型されており、さらにモータ３３を乗せる上記三本の放射状の台枠３４もベース２５と一体に成型されている。そして、図２に示すように、上記モータ３３とこのモータを取り囲むような円環状等の光源４８とを覆う、椀を伏せたような上部が円状な孔３５と円錐状部３６と外径寸法が上記ベース２５の受部３１の外径と同じとなる筒部３７とよりなる乳白色の陶器、或いは所望色に着色されたガラス製や合成樹脂製のシェード３８を上記ベースの周壁３２の段の受部３１に乗せ、さらに図１（Ａ）乃至（Ｃ）に示すように、上記円盤状のベース２５の外端の全周の受部３０の外径と同径の外径の合成樹脂製、金属製のカバー３９を側面部４０と蓋部４１とで構成し、かつカバー３９の側面部４０に所望高さＨと所望幅Ｙの長方形や円や楕円下向きの紡錘形等の所望形の空気排出口４２を設けてある。なお、この空気排出口は光源からの所望色の光が当てられたシェードを観賞する窓の働きをするものであり所望形には花等の植物や動物、家紋等でもよい、以下、本考案では単に「空気排出口」という。また、図１（Ａ）と（Ｂ）とに示すようにカバー３９の側面部４０に長方形の等間隔に４カ所設けたものが図示しているが、上述のように所望形のものを全面に設けてもよいのである。さらに図１（Ｃ）に示すように、カバー３９の側面部４０の内壁に補強リブ４３を等間隔に４カ所設け蓋４１を支える、さらにはこれらの補強リブ４３の等位置に下向きの切欠き５１が設けられ、これらの切欠き５１に上記シェード３８の円錐状部３６の上端縁３５が嵌合させ、シェード３８とカバー３９とが図３の左上部の黒塗りで示したように、両者がずれたり、外れたり、がたついたりすることをないように保持される。なお、図１（Ａ）に示すようにカバー３９のＭ４１と側面部４０とを別々にしたり、一体に成型してもよい。別々にした場合図１（Ｃ）に示すように側面部４０に補強リブ４３を設ければよい。さらに、側面部の外壁の下端部位に補強リブ４４が設けられ、上述の円盤状のベース２５の外端の全周の受部３０と嵌合すると図３に示すようにベース２５の上にシェード３８とさらにその外側にカバー３９が被せられた状態に組み立てられ、ベース２５の周壁３２とカバー３９の側面部４０の下端部位とを複数のねじ４５で固定してある。さらに、図３に示すように、モータ３３で回転される軸４６を上方に突設し、この軸４６に冷却ファン４７を取り付けている。このモータ３３に取り付かれた冷却ファン４７の回転させることで、ノズルから放水されて冷却されたノズル周辺の空気を上記ベース２５の通気孔２８又は円弧状スリット２９から吸い込み、モータや光源を冷却し、温まった空気はシェード３８の上部の孔３５より、シェード３８の周側の空気排出口４２から強制的に大気へ放出される。なお、シェード３８の上部の孔３５に虫除け用に金網を被せてもよい。【００１０】  次ぎに、動作について説明すると、図９に示すように、所望高さの支柱１１により所望間隔で上下のノズルを取���付け、この傘状の曲面の上ノズル６の上部中央の連結用のパイプ７に、円盤状のベース２５の下向のパイプ２４を嵌め込み、モータ３３とこのモータを取り囲むような円環状の光源４８とを覆う、上部が孔３５により開放されているシェード３８を上記ベースの周壁３２の段の受部３１に乗せ、周側に空気排出口４２が設けられているカバー３９を円盤状のベース２５の外端の全周の受部３０に被せる、また、この盤状のベース２５の少なくとも１列の多数の通気孔２８〜２８又はベースの全面に中心から放射状に設けた等間隔の三本の台枠３４の間に中心から二列の円弧状の多数の円弧状スリット２９が穿設され、ノズルから放水されて冷却されたノズル周辺の空気を上記ベース２５の通気孔２８又は円弧状スリット２９から吸い込み、温まった空気は軽くなり上昇し自然にシェード３８上方へ上昇し、シェード３８の円錐状部３６の上端縁３５を乗り越え、少し下部位のカバー３９に設けられている空気排出口４２から外部へ放出されるか、又は好ましくは図３に示すように、モータ３３に取り付かれた冷却ファン４７の回転させることで、ノズルから放水されて冷却されたノズル周辺の空気を上記ベース２５の通気孔２８又は円弧状スリット２９から吸い込み、モータや光源を冷却し、温まった空気はシェード３８の円錐状部３６へ集まり、さらに円錐状部３６の上端縁３５を乗り越え、少し下降し、カバー３９に設けられている空気排出口４２から強制的に大気へ放出される。このように水を循環させるモータや光源を水の放水による冷却された周囲の空気を自然に又は強制的に効率よく冷却できるのである。また、図６乃至図１１に示すように、上記ノズルは、円盤で垂直断面が傘状の曲面の上ノズル６の上部中央に連結用のパイプ７と、上ノズル６又は下ノズル１２に各支柱１１とが付設され、平板状の下ノズル１２の下面の中央部に上記導水管１を挿入させる連結用のバイプ１４を設け、この上下ノズルを所望高さの支柱１１により所望間隔に組み立てられ、上述のように上ノズル６の上部中央の連結用のパイプ７に、円盤状のベース２５の下向のパイプ２４を嵌め込み、ボルト・ナット等を図示していないパイプ２４の側面に設けた孔と上ノズル６の上部中央の連結用のパイプ７に設けた孔９とに挿通しパイプ２４とパイプ７とを固定している。なお、下ノズル１２と上ノズル６とに設けた半円状の凹部８とバイプ１４の一側面の半円状の凹部１５とにより、図９に示す一点鎖線のように電気コードをビニール等の合成樹脂で被服したり、または、下ノズル１２と上ノズル６との間にはビニールパイプ等で連通させ、かつ水が洩れないように被服または連通された電気コードに挿通させたパッキングを上下ノズルに嵌め込み電気コードが水流に直接接触しないようにしてある。また、図１０に示すように、上ノズル６又は下ノズル１２に付設された各支柱１１の側面に凹溝１７を設けたり、又は下ノズルの上面の各支柱間に凹溝を設けて、この各凹溝１７に嵌め込んで水を止めるための合成樹脂製、金属製或いはゴム製の弧状の留板１８を別に設け、この数や位置で水の放水方向や放水量を変えることができる。さらに、図１１に示すように、下ノズル１２を覆い上ノズル６の下面に周接するような一方に放水口２���が設けられ、上下ノズル６、１２の間から放水される水を止め、放水口２３に案内する断面Ｌ字で弧状の放水案内板１９を別に設け、この放水案内板１９の側面や断面Ｌ字の先端に付設した舌片２０、２１と、導水管１の側面や上ノズルの下面に付設した舌片２２とのねじ孔にねじ２３で放水案内板１９を上下ノズル６、１２を覆うことで所望方向へ所望水量の放水ができる。このように種々な放水の形や方向が簡単な補助具でできる、その水の動的視覚効果を顕著に上げると共に所望方向へ所望水量の放水ができる。
【図面の簡単な説明】
【００１１】
【図１】（Ａ）乃至（Ｃ）  本考案の噴射装置のカバーの断面正面図と断面平面図と一部断面図である。
【図２】本考案の噴射装置のシェードの断面正面図である。
【図３】本考案の噴射装置の上部のシェードとカバーとを組み立てた断面正面図である。
【図４】本考案の噴射装置の上部のベースの断面平面図である。
【図５】（Ａ）乃至（Ｄ）  本考案の噴射装置の上部のベースの他の実施例の断面平面図と断面正面図と一部断面図である。
【図６】（Ａ）乃至（Ｃ）  本考案の噴射装置の上ノズルの断面正面図と一部断面図と断面平面図である。
【図７】本考案の噴射装置の下ノズルの断面正面図である。
【図８】本考案の噴射装置の上ノズルと下ノズルとを組み立てた断面正面図である。。
【図９】本考案の噴射装置の上部のシェードとカバーとノズルとを組み立てた断面正面図である。
【図１０】本考案の噴射装置のノズルの他の実施例の要部の斜視図である。
【図１１】本考案の噴射装置のノズルの他の実施例の一部断面の斜視図である。
【符号の説明】
【００１２】１          導水管                  ２          軸
３、４      軸受                    ５          回転羽車
６          上ノズル                ７、２４    連結パイプ
１１        支柱                    １２        下ノズル
１６        中央連通孔              １７        溝
１８        留板                    １９        放水案内板
２５        ベース                  ３０、３１  受部
３２        周壁                    ３３        モータ
３８        シェード                ３９        カバー
４０        側面部                  ４１        蓋
４２        空気排出口              ４３        補強リブ
４７        冷却ファン              ５１        切欠き
【図１】
0003119314.tif 000003
【図２】
0003119314.tif 000004
【図３】
0003119314.tif 000005
【図４】
0003119314.tif 000006
【図５】
0003119314.tif 000007
【図６】
0003119314.tif 000008
【図７】
0003119314.tif 000009
【図８】
0003119314.tif 000010
【図９】
0003119314.tif 000011
【図１０】
0003119314.tif 000012
【図１１】
0003119314.tif 000013